(57)【要約】【課題】根太と大引との間の隙間への挿入が容易で、しかも、ずれを防止でき、床鳴り防止効果を長期に亘って持続できる床鳴り防止スペーサを提供すること。【解決手段】根太と大引との間の隙間に挿入されると共に固着具逃がし用のスリット１０を備えた薄板状挿入部７と、薄板状挿入部７の左右両側部から上記隙間の外側に延出して根太の両側面に係止する左右一対の係止片８，８とが合成樹脂にて一体成形された床鳴り防止スペーサ６である。【選択図】図１
2007154459.tif 000002
【特許請求の範囲】
【請求項１】
固着具で固定された根太と大引との間の隙間に介挿されると共に固着具逃がし用のスリットを備えた薄板状挿入部と、薄板状挿入部の左右両側部から上記隙間の外側に延出して根太の両側面に係止する左右一対の係止片とが合成樹脂にて一体成形されていることを特徴とする床鳴り防止スペーサ。
【請求項２】
上記薄板状挿入部の前端部に側面視略Ｔ形断面のフランジ部を延出し、該側面視略Ｔ形断面のフランジ部をハンマー等で叩いて薄板状挿入部を上記隙間に打ち込み可能としたことを特徴とする請求項１記載の床鳴り防止スペーサ。
【発明の詳細な説明】
【技術分野】
【０００１】
本発明は、大引を使用した住宅やその他の建物において床鳴りを防止するために用いる床鳴り防止スペーサに関するものである。
【背景技術】
【０００２】
一般に、木造建築物の床構造は、木製の根太に床板を張った床パネルを鋼製の大引上に載置して、根太と大引との交差分を固定ネジで固定したものである。
【０００３】
また従来では、木製の根太に経年変化による反りや曲がりが生じると、根太と大引との間に隙間が生じ、床パネルに荷重がかかるたびに根太と大引との間で衝突音が生じ易くなる。また、根太は大引に直接に接して固定ネジで固定されるが、根太の乾燥収縮や繰り返し荷重等によって固定ネジの保持力が低下すると、荷重が加えられた際に床が軋み、擦れ音が生じ易くなる。
【０００４】
そこで、上記衝突音や擦れ音に起因する床鳴りを防止する対策として、従来より、根太と大引との間の隙間に樹脂製の平滑シートを挿入して床鳴りを防止するようにした構造が特許文献１により知られている。
【０００５】
ところが、上記特許文献１に見られる樹脂製の平滑シートはそれより薄い隙間に挿入することが困難となり、また樹脂製の平滑シートは鋼製の大引に対して滑り抵抗が小さいためにずれが生じやすく、このため従来では平滑シートを接着剤で接着する必要があるなど、取り付けに手間がかかるという課題を有していた。しかも隙間の内部に固定ネジが存在している個所においては従来の平滑シートを挿入できず、また固定ネジを避けるようにずらして挿入した場合は、緩衝性が低下するという課題も有していた。
【特許文献１】特開平８−６０７７４号公報
【発明の開示】
【発明が解決しようとする課題】
【０００６】
本発明は上記の従来の問題点に鑑みて発明したものであって、根太と大引との間の隙間への挿入が容易で、しかも、ずれを防止でき、床鳴り防止効果を長期に亘って持続できる床鳴り防止スペーサを提供することを課題とするものである。
【課題を解決するための手段】
【０００７】
前記課題を解決するために本発明は、木製の根太１を大引４上に載置して、根太１と大引４との交差部分を固着具５で固定した床において、根太１と大引４との間の隙間Ｓに介挿される床鳴り防止スペーサ６を備え、上記床鳴り防止スペーサ６は、上記根太１と大引４との間の隙間Ｓに挿入されると共に固着具５逃がし用のスリット１０を備えた薄板状挿入部７と、薄板状挿入部７の左右両側部から上記隙間Ｓの外側に延出して根太１の両側面に係止する左右一対の係止片８，８とが合成樹脂にて一体成形されていることを特徴としている。
【０００８】
このような構成とすることで、経年変化により木製の根太１と大引４間に隙間Ｓが生じたときは、その隙間Ｓに床鳴り防止スペーサ６の薄板状挿入部７を挿入することによって、床パネル３に荷重がかかった際でも根太１と大引４間の衝突や擦れ、軋み等に起因する床鳴りを防止できるようになる。また、床鳴り防止スペーサ６を合成樹脂製とすることで大引４上を滑らせながら大引４と根太１間の隙間Ｓにスムーズに挿入できると共に、薄板状挿入部７に設けたスリット１０内に固着具５を逃がすことで、固着具５が薄板状挿入部７の挿入の妨げにならないものであり、さらにスリット１０に固着具５が入り込むことで、固着具５自体が薄板状挿入部７を位置決めする機能も果たすようになる。そのうえ左右一対の係止片８，８が根太１の両側面に係止することで床鳴り防止スペーサ６が根太１に対して確実に位置決めされ、従来のように接着剤で接着する手間を省略できるものである。
【０００９】
また、上記薄板状挿入部７の前端部に側面視略Ｔ形断面のフランジ部９を延出し、該側面視略Ｔ形断面のフランジ部９をハンマー等で叩いて薄板状挿入部７を上記隙間Ｓに打ち込み可能とするのが好ましく、この場合、ハンマーによって薄板状挿入部７をそれより薄い隙間Ｓに打ち込むことが可能となる。
【発明の効果】
【００１０】
本発明に係る床鳴り防止スペーサは、木製の根太に経年変化による反り等が生じて大引との間で隙間が生じたときは、この隙間に薄板状挿入部を挿入することで床鳴りを防止できるものであり、また、薄板状挿入部に固着具逃がし用のスリットを設けたことにより、固着具が薄板状挿入部の挿入の妨げにならず、しかも固着具自体が薄板状挿入部を位置決めする機能も果たすものであり、また、薄板状挿入部の左右両側部に根太の両側面に係止する左右一対の係止片を設けたことにより、床鳴り防止スペーサのずれを確実に防止できると共に、従来のような接着剤で接着する手間が省けるものであり、さらに、薄板状挿入部と係止片とを合成樹脂にて一体成形したことにより、床鳴り防止スペーサ全体の強度が向上し、床鳴り防止効果を長期に亘って持続できるものである。
【発明を実施するための最良の形態】
【００１１】
以下、本発明を添付図面に示す実施形態に基いて説明する。
【００１２】
床パネル３は、平行に配置した複数の木製の根太１の上に床板２を貼り付けて構成されている。図２に示すように、床パネル３を鋼製の大引４上に載置した状態で、各根太１は大引４の延在方向（図２の紙面に対して垂直方向）に対して直交方向（図２の左右方向）に配置されている。なお、単独で根太１を大引４上に固定した後に、床板２を貼り付けるものであってもよい。
【００１３】
大引４は、例えば図示省略した鋼製束を介して束ベース上に支持されている。本例の大引４は、木製の根太１のように乾燥収縮による反り・曲がり等の変形のない断面略正方形の軽鉄で構成される。なお、木製の根太１は、固着具５であるドリル付きタッピングネジ等の固定ネジ５ａによって大引４の上面に固着される。
【００１４】
一方、床鳴り防止スペーサ６は、例えば、ＰＰ、ＡＥＳ、ＡＢＳ等の耐磨耗性のある合成樹脂材料からなる。床鳴り防止スペーサ６の薄板状挿入部７は、薄肉（例えば１ｍｍ程度）でその両面はそれぞれ平滑面となっている。薄板状挿入部７の横幅寸法は、根太１の幅寸法と略同一寸法とされる。薄板状挿入部７の左右両側部からは根太１の両側面に係止するための左右一対の係止片８，８が立設されている。本例の係止片８，８は、薄板状挿入部７の前後方向全長に亘って設けられ、根太１に対する薄板状挿入部７のずれを防止する働きをする。
【００１５】
上記薄板状挿入部７の中央部から中央先端部に沿ってスリット１０が形成されており、薄板状挿入部７を隙間Ｓに挿入する際にスリット１０内に上記固定ネジ５ａを逃がすようになっている。さらに、薄板状挿入部７の前端部にはその全幅に亘って、係止片８，８の上端と略面一となるように断面逆Ｕ字形に屈曲した屈曲部１１が設けられ、屈曲部１１の前端に側面視略Ｔ形断面のフランジ部９が延出されている。フランジ部９の前面は薄板状挿入部７の面方向と直交している。
【００１６】
しかして、図４に示すように、経年変化により木製の根太１と剛製の大引４との間に隙間Ｓが生じて床鳴りが発生する場合には、その隙間Ｓに床鳴り防止スペーサ６を挿入することによって、図２、図３に示すように、隙間Ｓを薄板状挿入部７にて埋めることができ、床パネル３に荷重がかかった際でも根太１と大引４間の衝突や擦れ、軋みに起因する床鳴りを防止できるようになる。ここで、床鳴り防止スペーサ６を挿入する際には、左右一対の係止片８，８で根太１の両側面を挟むようにしながら、薄板状挿入部７を大引４上を滑らせて大引４と根太１間の隙間Ｓにスムーズに挿入することができる。そして、左右一対の係止片８，８が根太１の両側面に係止することによって、薄板状挿入部７が根太１に対して位置決めされて、床鳴り防止スペーサ６のずれを防止できるようになる。またこのとき薄板状挿入部７の前端部に設けたフランジ部９をハンマーで叩くことで、屈曲部１１を介して薄板状挿入部７全体に押し込み力が作用し、薄板状挿入部７をそれより薄い隙間Ｓに打ち込むことが可能となる。
【００１７】
また薄板状挿入部７に設けたスリット１０内に固定ネジ５ａを逃がすことができるので、固定ネジ５ａが薄板状挿入部７の挿入の妨げにならないものであり、そのうえスリット１０に固定ネジ５ａが入り込むことで、固定ネジ５ａ自体が薄板状挿入部７を位置決めする機能も果たすようになる。結果、床鳴り防止スペーサ６の位置決めが確実になされるので、従来のような接着剤で接着する手間を省けるようになる。また、固定ネジ５ａが存在しない隙間にも当然適用であるものである。
【００１８】
ちなみに木製の根太１と鋼製の大引４間の隙間Ｓに木製スペーサを介挿させた場合は、鋼製の大引４と木製スペーサとの馴染みが悪く、十分に密着しない状況となり得るが、本発明の床鳴り防止スペーサ６はＰＰ等の合成樹脂製であるから鋼製の大引４に対して十分に密着して馴染むことができて緩衝作用が高まり、床鳴り防止効果が十分に発揮されるものである。しかも床鳴り防止スペーサ６は薄板状挿入部７と左右一対の係止片８，８と側面視略Ｔ形断面のフランジ部９とが一体成形されているので、床鳴り防止スペーサ６全体の強度が向上し、結果、床鳴り防止効果を長期に亘って持続できるものである。
【００１９】
本発明に係る床鳴り防止スペーサ６は、木製の根太１、鋼製の大引４に限らず、金属製の根太、木製の大引にも同様に適用できるものである。
【図面の簡単な説明】
【００２０】
【図１】本発明の実施形態に用いる床鳴り防止スペーサの斜視図である。
【図２】同上の床鳴り防止スペーサの薄板状挿入部を根太と大引間の隙間に挿入した状態を説明する側面断面図である。
【図３】同上の側面断面図である。
【図４】同上の床鳴り防止スペーサを挿入する前の隙間の説明図である。
【符号の説明】
【００２１】
１  根太
２  床板
３  床パネル
４  大引
５  固着具
６  床鳴り防止スペーサ
７  薄板状挿入部
８  係止片
９  フランジ部
１０  スリット
Ｓ  隙間
【図１】
2007154459.tif 000003
【図２】
2007154459.tif 000004
【図３】
2007154459.tif 000005
【図４】
2007154459.tif 000006